(57)【要約】【課題】急制動や急旋回の際にペットが負傷したり長時間の走行により疲労したりする虞がなく、取付け・取外しを容易に行うことのできるペット用補助シートを提供する。【解決手段】ペット用補助シート１０を、シート２に固定される台座１１と、台座１１の上面１１ａよりも上方に位置する上面１２ａを有し、台座１１の幅方向の中央に配置されてペット１の胴体を支持する支持手段（１２）とを備えるものとし、支持手段（１２）の上面１２ａを前方に向かって上方に傾斜させる。【選択図】図５
2014087302.tif 000002
【特許請求の範囲】
【請求項１】
シートに固定される台座と、前記台座の幅方向の中央に設けられ、前記台座の上面よりも上方に位置する上面を有してペットの胴体を支持する支持手段とを備え、
前記支持手段の上面が前方に向かって上方に傾斜することを特徴とするペット用補助シート。
【請求項２】
前記支持手段の両側方に配置され、少なくとも一部が前記支持手段の上面よりも高い位置に位置してペットの胴体を側方から保持する一対の保持手段を更に備えることを特徴とする、請求項１に記載のペット用補助シート。
【請求項３】
前記一対の保持手段の幅方向間隔を変更する幅変更手段を更に備えることを特徴とする、請求項２に記載のペット用補助シート。
【請求項４】
前記保持手段の高さ位置を変更する高さ変更手段を更に備えることを特徴とする、請求項２に記載のペット用補助シート。
【請求項５】
前記保持手段の前部に一端が接続され、前記台座の後部に他端が接続されて、ペットの胴体を前記支持手段上に拘束するベルトを更に備えることを特徴とする、請求項１〜請求項４のいずれか一項に記載のペット用補助シート。
【請求項６】
前記支持手段の前記台座に対する角度を変更する角度変更手段を更に備えることを特徴とする、請求項１〜請求項５のいずれか一項に記載のペット用補助シート。
【発明の詳細な説明】
【技術分野】
【０００１】
本発明は、ペットを車両に乗せる際に用いるペット用補助シートに関する。
【背景技術】
【０００２】
犬などのペットを車両に載せるために、ペットを入れた状態でシートに固定するペット用車載容器が知られている（特許文献１参照）。このようなペット用車載容器は、ペットを容器に入れたままシートに固定できる点で便利であり、ペットに負担をかけずに車載することもできる。
【０００３】
一方、車両のシートは座面がフラットになっていないことや、傾斜していることが多いため、上記のようなペット用車載容器は、シートに固定された状態で底面が傾いてしまい、ペットが安定した姿勢をとりにくい。そこで本出願人は、ペットを収納する容器本体の他に、シートの座面に固定される台座を備え、この台座に対して収納容器本体を水平機構を介して取り付けることで、シートへの固定時に収納容器の底面を水平にできるようにしたペット車載用容器を提案している（特許文献２参照）。
【先行技術文献】
【特許文献】
【０００４】
【特許文献１】特開２００２−１５９２３９号公報
【特許文献２】特許第４２８６６８８号公報
【発明の概要】
【発明が解決しようとする課題】
【０００５】
しかしながら、特許文献２のペット車載用容器では、ペットが容器内に収容されるため、飼い主とペットとの接触が遮断されるうえ、ドライバがルームミラーを介してペットの様子を伺うことも難しい。また、ペットに閉塞感を与える虞もある。さらに、容器内ではペットは拘束されていないため、急制動や急旋回の際にペットが容器にぶつかって負傷する虞もある。急激な操作が行われないとしても、ペットは走行中に絶えず姿勢を保持しようと力むため、長時間の走行では疲労が貯まる。加えて、ペット車載用容器は、収納容器本体と台座とが一体化した大型なものとなるため、取付けや取外しに手間がかかる。
【０００６】
ここで、特許文献１の容器を特許文献２の構成に適用することが考えられるが、このような構成にしたとしても、急制動や急旋回の際にペットが負傷したり長時間の走行により疲労したりする虞を解消することや、車載用容器の大型化を回避することはできない。
【０００７】
本発明は、このような従来技術に含まれる課題を解消するべく案出されたものであり、急制動や急旋回の際にペットが負傷したり長時間の走行により疲労したりする虞がなく、取付け・取外しを容易に行うことのできるペット用補助シートを提供することをその目的とする。
【課題を解決するための手段】
【０００８】
このような課題を解決するために、本発明に係るペット用補助シートの一側面によれば、シート（２）に固定される台座（１１）と、前記台座の幅方向の中央に設けられ、前記台座の上面（１１ａ）よりも上方に位置する上面（１２ａ）を有してペット（１）の胴体を支持する支持手段（１２）とを備え、前記支持手段の上面（１２ａ）が前方に向かって上方に傾斜する構成とする。
【０００９】
この構成によれば、ペットの胴体が支持手段により下方から支持されるため、ペットが楽に姿勢を保持できるようになる。また、支持手段の上面が前方に向かって上方に傾斜するため、制動時にペットが前方に移動してしまうことを防止できる。また、ペットを収容するような容器を設けないため、ペット用補助シートを小型化することができ、取付け・取外しが容易になる。
【００１０】
また、本発明の一側面によれば、前記支持手段の両側方に配置され、少なくとも一部が前記支持手段の上面（１２ａ）よりも高い位置に位置してペットの胴体を側方から保持する一対の保持手段（２６）を更に備える構成とすることができる。
【００１１】
この構成によれば、ペットの胴体が保持手段により両側方から保持されるため、急旋回時にペットが側方に移動してしまうことを防止できる。したがって、ペットをより快適に乗車させることができる。
【００１２】
また、本発明の一側面によれば、前記一対の保持手段（２６）の幅方向間隔を変更する幅変更手段（角度調節機構２７）を更に備える構成や、前記保持手段（２６）の高さ位置を変更する高さ変更手段（摺動位置調節機構２８）を更に備える構成とすることができる。
【００１３】
これらの構成によれば、ペットの体格や体調に合わせて保持手段の幅間隔や高さ位置を変更できるため、ペットをより快適に乗車させることができる。
【００１４】
また、本発明の一側面によれば、前記保持手段（１２）の前部に一端（２９ａ）が接続され、前記台座（１１）の後部（１５）に他端（２９ｂ）が接続されて、ペットの胴体を前記支持手段上に拘束するベルト（２９）を更に備える構成とすることができる。
【００１５】
この構成によれば、急制動時や急旋回時にペットが前方または側方へ投げ出されることを防止できる。なお、ペットが支持手段によって安定的に支持されているため、ベルトをペットの胴体に巻きつけても、ペットに与える拘束感は小さい。
【００１６】
また、本発明の一側面によれば、前記台座（１１）と前記支持手段（１２）との間に介装され、前記支持手段の傾斜角度を変更する角度変更手段（２１）を更に備える構成とすることができる。
【００１７】
この構成によれば、ペットの体型や気質に合わせて胴体の支持角度や台座への前足の接地状態を変更することができるため、ペットをより快適に乗車させることができる。
【発明の効果】
【００１８】
このように本発明によれば、急制動や急旋回の際にペットが負傷したり長時間の走行により疲労したりする虞がなく、取付け・取外しを容易に行えるペット用補助シートを提供することができる。
【図面の簡単な説明】
【００１９】
【図１】第１実施形態に係るペット用補助シートの設置状態を示す側面図
【図２】図１に示すペット用補助シートの設置状態を示すシートの平面図
【図３】図１中のIII矢視図
【図４】図１に示すペット用補助シートの骨組みを示す図３に対応する図
【図５】図１に示すペット用補助シートのペット支持状態を示す側面図
【図６】第２実施形態に係るペット用補助シートのペット支持状態を示す側面図
【発明を実施するための形態】
【００２０】
以下、図面を参照して、本発明に係るペット用補助シート１０の実施の形態について詳細に説明する。
【００２１】
≪第１実施形態≫
図１〜図３に示すように、ペット用補助シート１０は、犬などのペット１（図５参照）を車載するために、自動車の後部座席あるいは助手席のシート２に設置されるものである。シート２は、前方に向かって上方に傾斜する座面３ａを構成するシートクッション３と、シートクッション３の後部に傾動可能に取り付けられたシートバック４とから構成されている。シートバック４の下部には、チャイルドシート取付用のＩＳＯＦＩＸバー５が車幅方向に延在するように取り付けられている。なお、図１〜図３では、ペット１に巻きつけた状態の両ベルト２９を、ペット１を透視して示している。
【００２２】
ペット用補助シート１０は、樹脂製の台座１１と、ペット１の胴体を支持すべく台座１１の幅方向の中央に配置された支持部１２とを有している。台座１１は、シートクッション３の座面３ａに載置される板状のベース部１３と、ベース部１３の後端に設けられた一対のキャッチアーム１４と、ベース部１３の後部に設けられ、シートバック４に沿って上方に向けて斜め後方に突出するベースバック１５とを備えている。
【００２３】
ベース部１３は、ペット用補助シート１０およびペットの荷重をシートクッション３に伝達する部位であり、ペット用補助シート１０の姿勢が安定するような平面視形状とされる。ベース部１３は、本実施形態例では平面視で矩形を呈する板状部材であるが、異なる平面視形状であってもよく、枠状部材などにより構成されてもよい。
【００２４】
キャッチアーム１４は、ＩＳＯＦＩＸバー５に対する係合および係合解除を行うものであり、台座１１のシート２への取付け・取外しを容易にすることができる。キャッチアーム１４がＩＳＯＦＩＸバー５に係合した状態で、ベースバック１５がシートバック４に当接することにより、ＩＳＯＦＩＸバー５を中心にしてベース部１３が上方に傾動することが防止される。なお、ベースバック１５は、ベース部１３に一体に設けられていてもよく、ベース部１３に対して傾動可能かつ固定可能に設けられていてもよい。
【００２５】
支持部１２は、柱状を呈しており、ベースバック１５の幅方向の中央から前方斜め上方に突出するように取り付けられている。つまり、支持部１２は、台座１１の上面１１ａよりも上方に位置し且つ前方に向かって上方に傾斜する上面１２ａを有しており、この上面１２ａによって載置されたペット１の胴体を下方から支持する。ここでは、支持部１２の先端は略水平とされており、ペット１が顎を乗せた状態でも前方を向けるようになっている。
【００２６】
図４に示すように、支持部１２は、矩形断面を呈する金属製の支柱１６と、支柱１６の周囲に設けられた低反発ウレタンなどの弾性部材１７と、これを覆う織布１８とから構成されている。支持部１２は、支柱１６の基端に設けられたフランジ１９を介してボルト２０によりベースバック１５に締結されている。
【００２７】
図１に示すように、支持部１２は、固定状態におけるベース部１３に対する角度を変更可能な角度変更機構２１と、その長さを変更可能な長さ変更機構２２とを有している。これらの角度変更機構２１および長さ変更機構２２は、公知のものであってよく、ここでは詳細な説明は省略する。
【００２８】
なお、角度変更機構２１としては、例えば、操作レバー２１ａの位置を変更することによって支柱１６の角度固定状態および角度可変状態を切り替える構成とすることができる。一方、長さ変更機構２２としては、例えば、摺動可能に組付けられた外側支柱１６ｏと内側支柱１６ｉとの相対位置の固定状態および可変状態をねじ部材２２ａの操作によって切り替える構成とすることができる。
【００２９】
図１〜図３に示すように、支持部１２の長さ方向の中間部には、ペット１の胴体を側方から保持するための一対の保持ユニット２３が取り付けられている。両保持ユニット２３は、支持部１２から左右にそれぞれ延びる基部２４と、基部２４の先端に傾動可能に設けられたアーム部２５と、アーム部２５に対して摺動可能に設けられたクッションからなる保持部２６とから構成されている。保持部２６は、アーム部２５が概ね上下方向に延在する状態において、その少なくとも一部（図示の状態では全体）が支持部１２の上面１２ａよりも高い位置に配設されており、これにより、ペット１の胴体を側方から保持する。
【００３０】
図４に示すように、基部２４およびアーム部２５は、支持部１２と同様に、それぞれ金属製の骨組と骨組の周囲に設けられた弾性部材および織布とから構成されている。基部２４とアーム部２５との間には、両者の角度を変更可能な公知の角度調節機構２７が介装されており、アーム部２５の基部２４に対する傾動角度を変更することによって両保持部２６の幅方向間隔を変更できるようになっている。角度調節機構２７としては、例えば、ラチェットを備え、両保持部２６の間隔を狭める方向には自由に回動させることができる一方、反対方向に回動させるときのためにストッパ解除機構を備えるように構成することができる。
【００３１】
アーム部２５と保持部２６との間には、公知の摺動位置調節機構２８が構成されており、保持部２６のアーム部２５に対する摺動位置を変更することで、保持部２６の高さを変更できるようになっている。摺動位置調節機構２８としては、例えば、シート２のヘッドレストなどに用いられている機構、例えば、所定間隔に形成された凹部に対する係合爪の係合により段階的な位置調整を行う構成とすることができる。
【００３２】
図１および図２に示すように、支持部１２における保持ユニット２３よりも前方の部位には、２本のベルト２９が取り付けられている。両ベルト２９は、一端２９ａが支柱１６に接合された前側アンカー３０（図４参照）に接続され、他端２９ｂがバックル３１を介してベースバック１５の両側部に接合された後側アンカー３２に接続されており、互いに交差するように配置されることによって支持部１２に載置されたペット１の胴体を保持する。
【００３３】
このように構成されたペット用補助シート１０では、図５に示すように、ペット１の前足と後足の間に保持ユニット２３が位置するように支持部１２の長さを調整して、ペット１の胸部および腹部を支持部１２の上面１２ａに支持させる。このとき、ペット１の臀部がベースバック１５に支持され、頭部（顎）が支持部１２の先端に支持されるようにするとよい。この状態において、支持部１２の角度は、ペット１の前足が台座１１の上面１１ａに接地しないように調整するとよい。このようにすることよってペット１の姿勢が安定するため、ペット１はおとなしくその姿勢を保持するようになる。そして、支持部１２の前部から一対のベルト２９をクロスさせるように後方に引き回し、その先端に取り付けられたタング３３をバックル３１に結合してペット１の胴体を拘束する。
【００３４】
このように、支持部１２が、台座１１の上面１１ａよりも上方に位置する上面１２ａを有し、台座１１の幅方向の中央に配置されてペット１の胴体を支持し、支持部１２の上面１２ａが前方に向かって上方に傾斜しているため、ペット１が楽に姿勢を保持できるようになり、制動時にペット１が前方に移動することが防止される。したがって、急制動や急旋回の際にペット１が負傷したり長時間の走行により疲労したりする虞を解消できる。さらに、ペット用補助シート１０は、台座１１と支持部１２とを主構成要素とし、ペット１を収納する容器を備えないため、比較的小型に構成でき、シート２への取付け・取外しが容易である。
【００３５】
本実施形態では、ペット用補助シート１０が保持部２６を有する一対の保持ユニット２３を備えており、ペット１の胴体が保持部２６により側方から保持されるため、急旋回時であってもペット１が側方に移動することが防止され、ペット１をより快適に乗車させることができる。また、ペット用補助シート１０が角度調節機構２７および摺動位置調節機構２８を備えており、ペット１の体格や体調に合わせて保持部２６の幅間隔や高さ位置を変更できるため、ペット１をより快適に乗車させることができる。
【００３６】
また本実施形態では、ペット用補助シート１０が一対のベルト２９を備えており、ペット１の胴体が支持部１２上に拘束されるため、急制動時や急旋回時であってもペット１が前方または側方へ投げ出されることが防止され、ペット１の安全が確保される。なお、ペット１は支持部１２によって安定的に支持されているため、ペット１の胴体に巻きつけられたベルト２９がペット１に与える拘束感は小さく、ペット１がベルト２９の装着を嫌がる虞も低い。
【００３７】
また本実施形態では、ペット用補助シート１０が角度変更機構２１を備え、支持部１２の傾斜角度を変更できることに加え、長さ変更機構２２によって支持部１２の長さや保持ユニット２３の位置を変更できるため、ペット１の体型や気質に合わせて、胴体の支持角度や台座１１への前足の接地状態、側方からの胴体の保持位置を変更することができ、ペット１をより快適に乗車させることができる。また、非使用時や取付け・取外し時には支持部１２を折り畳むことでペット用補助シート１０をより小型化できる。
【００３８】
そして、このようにペット１を車載することにより、ペット用補助シート１０を後部座席に固定した場合であっても、ドライバはルームミラーを介してペット１の様子を伺うことができる。また、ペット１は容器に入れられることがないため、ペット１に閉塞感を与えることもない。
【００３９】
≪第２実施形態≫
次に、図６を参照して本発明の第２実施形態に係るペット用補助シート１０について説明する。なお、第１実施形態と同様の部材や部位に対しては同一の符号を付し、重複する説明は省略する。
【００４０】
本実施形態のペット用補助シート１０では、支持部１２の形状が第１実施形態と異なっている。支持部１２は、台座１１の幅方向の中央から上方に突出形成された壁上を呈している。支持部１２は、第１実施形態と同様に、台座１１の上面１１ａよりも上方に位置し且つ前方に向かって上方に傾斜する上面１２ａを有しており、この上面１２ａによって載置されたペット１の胴体を下方から支持する。
【００４１】
このようにペット用補助シート１０を構成しても、第１実施形態と同様の効果を得ることができる。なお、本実施形態のペット用補助シート１０は、角度変更機構２１や長さ変更機構２２（ともに図１）を備えていないため、ペット１の体格に合わせて支持部１２の大きさや支持部１２の上面１２ａの傾斜角度を設定するとよい。
【００４２】
以上で具体的実施形態の説明を終えるが、本発明は上記実施形態に限定されることなく幅広く変形実施することができ、各部材や部位の具体的構成や配置など、本発明の趣旨を逸脱しない範囲であれば適宜変更可能である。また、上記実施形態に示した本発明に係るペット用補助シート１０の各構成要素は必ずしも全てが必須ではなく、適宜取捨選択することが可能である。
【符号の説明】
【００４３】
１      ペット
２      シート
３      シートクッション
３ａ    座面
４      シートバック
５      ＩＳＯＦＩＸバー
１０    ペット用補助シート
１１    台座
１１ａ  上面
１２    支持部
１２ａ  上面
２１    角度変更機構
２６    保持部
２７    角度調節機構（幅変更手段）
２８    摺動位置調節機構（高さ変更手段）
２９    ベルト
２９ａ  一端
２９ｂ  他端
【図１】
2014087302.tif 000003
【図２】
2014087302.tif 000004
【図３】
2014087302.tif 000005
【図４】
2014087302.tif 000006
【図５】
2014087302.tif 000007
【図６】
2014087302.tif 000008